(57)【要約】【課題】  廃棄物になり難く、開封容易で、返送しやすい再利用封筒を提供すること。【解決手段】  この再利用封筒１００は袋部２及び蓋部１を有し、蓋部１に両面テープ６１，６２、袋部２の上面に両面テープ貼付部７１，７２を設け、蓋部１の外面に送り状５１を、袋部２の上面に返送用送り状５２を設けている。蓋部１には、ミシン目３１，３２により開封部１ｃが形成される。差出人は袋部２に内容物を入れ、蓋部１を折り曲げて袋部２の上面を覆うように被せると共に両面テープ６１を袋部２の両面テープ貼付部７１に合わせて接着する。次に、この再利用封筒１００の受取人はミシン目３１，３２に沿って開封部１ｃを取り去り、内容物を取り出した後、返信する内容物を再び袋部２に入れ、蓋部１を折り曲げて前記両面テープ６２を袋部２の両面テープ貼付部７２に合わせ、接着する。これにより、再利用封筒１００は、往復で用いることができるから、すぐに廃棄しなくてもよいうえ、開封容易で、返送しやすい。【選択図】図１
0003132482.tif 000002
【実用新案登録請求の範囲】
【請求項１】
内容物を入れる袋部と、当該袋部の一面側から開口側に延出する蓋部と、蓋部を閉じた状態で袋部と蓋部とが対向する面に設けられ且つ袋部と蓋部との一部を貼り付ける外側に設けた第一貼付部位と、蓋部を閉じた状態で袋部と蓋部とが対向する面に設けられ且つ当該袋部と蓋部との他部を内側に設けた第二貼付部位と、蓋部のうちの第一貼付部位と第二貼付部位との間に形成した開封部と、を備えたことを特徴とする再利用封筒。
【請求項２】
更に、前記袋部に対して貼り付ける蓋部貼付部位を有するスペア蓋部を備え、このスペア蓋部は、スペア蓋部を閉じた状態で袋部とスペア蓋部とが対向する面に設けられ且つ袋部とスペア蓋部との一部を貼り付ける外側に設けた第一貼付部位と、スペア蓋部を閉じた状態で袋部とスペア蓋部とが対向する面に設けられ且つ当該袋部とスペア蓋部との他部を内側に設けた第二貼付部位と、スペア蓋部のうちの第一貼付部位と第二貼付部位との間に形成した開封部と、を有することを特徴とする請求項１に記載の再利用封筒。
【請求項３】
内容物を入れる袋部と、前記袋部に対して貼り付ける蓋部貼付部位を有するスペア蓋部と、スペア蓋部を閉じた状態で袋部とスペア蓋部とが対向する面に設けられ且つ袋部とスペア蓋部との一部を貼り付ける外側に設けた第一貼付部位と、スペア蓋部を閉じた状態で袋部とスペア蓋部とが対向する面に設けられ且つ当該袋部とスペア蓋部との他部を内側に設けた第二貼付部位と、スペア蓋部のうちの第一貼付部位と第二貼付部位との間に形成した開封部と、を備えたことを特徴とする再利用封筒。
【請求項４】
内容物を入れる袋部と、当該袋部の一面側から開口側に延出する蓋部と、蓋部を閉じた状態で袋部と蓋部とが対向する面に設けられ且つ袋部と蓋部との一部を貼り付ける外側に設けた第一貼付部位と、蓋部を閉じた状態で袋部と蓋部とが対向する面に設けられ且つ当該袋部と蓋部との他部を中央に設けた第二貼付部位と、蓋部を閉じた状態で袋部と蓋部とが対向する面に設けられ且つ当該袋部と蓋部との他部を内側に設けた第三貼付部位と、蓋部のうちの第一貼付部と第二貼付部との間に形成した第一開封部と、蓋部のうちの第二貼付部と第三貼付部との間に形成した第二開封部と、を備えたことを特徴とする再利用封筒。
【請求項５】
前記蓋部の外面であって前記開封部に第一の送り状を設け、前記袋部の上面であって前記蓋部を閉じた状態で前記開封部に対向する位置に第二の送り状を設けたことを特徴とする請求項１〜４のいずれか一つに記載の再利用封筒。
【請求項６】
前記開封部は、蓋部の端から端にかけて設けた２つ以上のミシン目または切り目により区画されていることを特徴とする請求項１〜５のいずれか一つに記載の再利用封筒。
【考案の詳細な説明】
【技術分野】
【０００１】  本考案は、宅配便などの梱包に使われている封筒型パッケージに関するものである。
【背景技術】
【０００２】  従来、書籍や書類などの重量のあるものや大きさのあるものの発送用に用いられる封筒型パッケージは、発送先に届き、接着された封口を一度、開封し発送品が取り出された後は、すぐに廃棄されていた。また、郵便封筒と比べ封筒型パッケージは素材が厚手で丈夫に設計してあるために開封時、素手であれば、力量が必要であり若しくは開封のための道具を用いて開封をしなければならなかった。【０００３】  また、発送品が要返送の場合などは、改めて返送用パッケージを用意していた。そして、返送や再発送で発送品を梱包し、封着するためには、糊やテープ類を改めて用意しなくてはならなかった（実用公開新案平１−８２１４６号など）。
【特許文献１】実用新案登録第３１１２２３６号
【考案の開示】
【考案が解決しようとしている課題】
【０００４】  本考案は、上記問題点を解決するためになされるものであり、廃棄物になり難く、開封容易で、返送しやすい再利用封筒を提供することを目的とする。
【課題を解決するための手段】
【０００５】  上記課題を解決するために、この考案の再利用封筒は、内容物を入れる袋部と、当該袋部の一面側から開口側に延出する蓋部と、蓋部を閉じた状態で袋部と蓋部とが対向する面に設けられ且つ袋部と蓋部との一部を貼り付ける外側に設けた第一貼付部位（例えば両面テープ６１と両面テープ貼付部７１）と、蓋部を閉じた状態で袋部と蓋部とが対向する面に設けられ且つ当該袋部と蓋部との他部を内側に設けた第二貼付部位（例えば両面テープ６２と両面テープ貼付部７２）と、蓋部のうちの第一貼付部位と第二貼付部位との間に形成した開封部と、を備えたことを特徴とする。
【０００６】  また、この考案の再利用封筒は、上記再利用封筒において、更に、前記袋部に対して貼り付ける蓋部貼付部位を有するスペア蓋部を備え、このスペア蓋部は、スペア蓋部を閉じた状態で袋部とスペア蓋部とが対向する面に設けられ且つ袋部とスペア蓋部との一部を貼り付ける外側に設けた第一貼付部位と、スペア蓋部を閉じた状態で袋部とスペア蓋部とが対向する面に設けられ且つ当該袋部とスペア蓋部との他部を内側に設けた第二貼付部位と、スペア蓋部のうちの第一貼付部位と第二貼付部位との間に形成した開封部と、を有することを特徴とする。
【０００７】  また、この考案の再利用封筒は、内容物を入れる袋部と、前記袋部に対して貼り付ける蓋部貼付部位を有するスペア蓋部と、スペア蓋部を閉じた状態で袋部とスペア蓋部とが対向する面に設けられ且つ袋部とスペア蓋部との一部を貼り付ける外側に設けた第一貼付部位と、スペア蓋部を閉じた状態で袋部とスペア蓋部とが対向する面に設けられ且つ当該袋部とスペア蓋部との他部を内側に設けた第二貼付部位と、スペア蓋部のうちの第一貼付部位と第二貼付部位との間に形成した開封部と、を備えたことを特徴とする。
【０００８】  また、この考案の再利用封筒は、内容物を入れる袋部と、当該袋部の一面側から開口側に延出する蓋部と、蓋部を閉じた状態で袋部と蓋部とが対向する面に設けられ且つ袋部と蓋部との一部を貼り付ける外側に設けた第一貼付部位（例えば両面テープ６１と両面テープ貼付部７１）と、蓋部を閉じた状態で袋部と蓋部とが対向する面に設けられ且つ当該袋部と蓋部との他部を中央に設けた第二貼付部位（例えば両面テープ６２と両面テープ貼付部７２）と、蓋部を閉じた状態で袋部と蓋部とが対向する面に設けられ且つ当該袋部と蓋部との他部を内側に設けた第二貼付部位（例えば両面テープ６３と両面テープ貼付部７３）と、蓋部のうちの第一貼付部と第二貼付部との間に形成した第一開封部と、蓋部のうちの第二貼付部と第三貼付部との間に形成した第二開封部と、を備えたことを特徴とする。
【０００９】  また、この考案の再利用封筒は、上記再利用封筒において、前記蓋部の外面であって前記開封部に第一の送り状を設け、前記袋部の上面であって前記蓋部を閉じた状態で前記開封部に対向する位置に第二の送り状を設けたことを特徴とする。
【００１０】  また、この考案の再利用封筒は、上記再利用封筒において、前記開封部は、蓋部の端から端にかけて設けた２つ以上のミシン目または切り目により区画されていることを特徴とする。
【考案の効果】
【００１１】  この考案によれば、廃棄物になり難く、開封容易で、返送しやすい。
【考案を実施するための最良の形態】
【００１２】（実施の形態１）
図１は、この考案の実施の形態１にかかる再利用封筒を示す平面展開図である。図２は、図１のＡ−Ａ断面図である。図３は、図１に示した再利用封筒の背面を示す平面展開図である。この再利用封筒１００は、方形の袋部２と、当該袋部２の一面側から開口側に延出した蓋部１とを有する。蓋部１の付け根、即ち袋部２と蓋部１との境には、折り曲げが容易になるように折り罫線４が設けられている。【００１３】  蓋部１の内面（蓋部１を閉じたときに袋部２の上面に対向する面）であって方形の長手方向かつ両側に短冊形状の両面テープ６１，６２が設けられている。この両面テープ６１，６２は、再利用封筒１００を展開した状態では、接着面に短冊形状の剥離紙（図示省略）が張られている。両面テープ６１，６２を用いて接着する場合には、この剥離紙を剥がすことで、当該両面テープ６１，６２の接着面が現れる。この剥離紙上には、「送付用」、「返送用」の文字を記入しておき、ユーザが貼り付ける位置を間違えないようにするのが好ましい。【００１４】  蓋部１の外面（蓋部１を閉じたときに表となる面で、図中では両面テープ６１，６２を設けた面の反対面）には、送り状５１が設けられている。この送り状５１には、あて先の郵便番号、住所及び氏名等、差出人の住所及び氏名等の必要な情報が記載される。なお、この送り状５１は、あらかじめ蓋部１の外面に印刷しておいても良いし、別にシール状の用紙に印刷して貼り付けても良い。【００１５】  一方、袋部２の上面（蓋部１を閉じたときに当該蓋部１に覆われる面）であって方形の長手方向かつ両側に短冊形状の両面テープ貼付部７１，７２が設けられている。具体的には、この両面テープ貼付部７１，７２には、蓋部１を閉じるときに前記両面テープ６１，６２を接着すべき部位を指定する機能があり、袋部２の上面に点線や実線等で示されている。なお、この両面テーブ貼付部７１，７２には、「送付用」、「返送用」の文字を記入しておき、ユーザが貼り付ける位置を間違えないようにするのが好ましい。【００１６】  また、袋部２の上面には、返送用送り状５２が設けられている。この返送用送り状５２には、あて先の郵便番号、住所及び氏名等、差出人の住所及び氏名等の必要な情報が記載される。なお、この返送用送り状５２は、あらかじめ袋部２の上面に印刷しておいても良いし、別にシール状の用紙に印刷して貼り付けても良い。この返送用送り状５２は、両面テープ貼付部７１と両面テープ貼付部７２との間に設けられる。【００１７】  蓋部１の長手方向かつ送り状５１の両側、換言すれば両面テープ６１と両面テープ６２との間であって各両面テープ６１，６２近傍に沿って略平行に２本の開封用のミシン目３１，３２が設けられている。このミシン目３１とミシン目３２とで区画された部分を開封部１ｃとする。このミシン目３１，３２は、ユーザがカッターなどの裁断道具を使うことなく開封できるように、蓋部１の端から端まで設けられる。【００１８】  この再利用封筒１００の材料には、通常の封筒に用いられる紙や厚紙のほか、ビニールやポリエチレンを用いても良い。また、和紙や透明または半透明の材料でも良い。更に、袋部２の内側には、空気を封入したシート状のビニール袋やスポンジ等の保護材料を貼り付けても良い（以下の実施の形態においても同様）。また、前記ミシン目３１，３２の代わりに、材料の厚さに対して半分程度まで切り込んだ切り目を蓋部１の端から端まで設けてもよい（以下の実施の形態においても同様）。【００１９】  次に、この再利用封筒１００の使用方法について説明する。差出人は、袋部２の中に、例えば書籍、書類、手紙、磁気ディスク等の内容物を入れる。そして、蓋部１の外側（蓋部１の袋部２とは反対側）に設けた両面テープ６１の剥離紙を剥がす。この剥離紙には、「送付用」と記載されているので、差出人は間違えることなく、必要な剥離紙を剥がすことができる。次に、両面テープ６１の接着面が露出した状態で、蓋部１を折り罫線４に従って折り曲げ、蓋部１を袋部２の上面を覆うように被せると共に、前記両面テープ６１を袋部２の外側（袋部２の蓋部１とは反対側）に設けた両面テープ貼付部７１に合わせて、接着する。これにより、図４及び図５に示すように、手紙などの内容物が封をされ、蓋部１の外面に設けた送り状５１が表に位置するようになる。差出人は、送り状５１に必要事項を記入し（或いはあらかじめ印刷されている）、必要に応じて切手を貼り付ける。【００２０】  次に、この再利用封筒１００を受け取った者（受取人）は、図６及び図７に示すように、ミシン目３１，３２に沿って開封部１ｃを引っ張り、当該ミシン目３１，３２に沿って開封部１ｃを取り去る。この開封部１ｃは、ミシン目３１，３２を設けることで受取人が手で容易に取り去ることが出来るようになっているので、カッターなどの裁断道具を用いることなく簡単に開封できる。開封部１ｃを取り去ることで蓋部１を開けることができる。また、その下に返信用送り状５２が現れる。なお、蓋部１の縁部１ａは、両面テープ６１により袋部２の上面に張り付いたままとなる。【００２１】  次に、受取人は、返信する内容物を再び当該再利用封筒１００の袋部２に入れ、蓋部１の内側（蓋部１の袋部側）に設けた両面テープ６２の剥離紙を剥がす。この剥離紙には、「返信用」と記載されているので、受取人は間違えることなく、当該剥離紙を剥がすことができる。次に、両面テープ６２の接着面が露出した状態で、蓋部１を折り罫線４に従って折り曲げ、蓋部１を袋部２の上面の縁近傍を覆うように被せると共に、前記両面テープ６２を袋部２の内側（袋部２の蓋部側）に設けた両面テープ貼付部７２に合わせて、接着する。これにより、内容物が再利用封筒１００の中に封をされる。また、図６及び図７に示すように、返信状態では蓋部１は袋部２の上面を全て覆うわけではなく、縁近傍を覆うだけであるので、袋部２上面の返信用送り状５２を見ることができる。そして、受取人は、返信用送り状５２に必要事項を記入し（或いはあらかじめ印刷されている）、必要に応じて切手を貼り付け、投函する。【００２２】  元差出人（或いは、別の返送先が指定されている場合は第二受取人）は、返送されてきたこの再利用封筒１００の折り罫線４あたりを切るか、又は、両面テープ６２の接着を強引に剥がして、内容物を取り出す。【００２３】  以上から、この再利用封筒１００は、一度開封しても再度利用することができるから、返信のために新しい封筒を用意する必要がない��また、当該封筒がすぐに廃棄されることがない。このため、資源保護に有効である。また、送付されてきた封筒をそのまま使えるので、返信の手間がかからない。更に、受取人が内容物を取り出すために裁断道具が不要であるので、便利である。更に、再発送用に新たに梱包資材や封着用の接着剤を調達しなくてもよいので、再発送人は発送準備に掛かるコストや時間を削減できる。【００２４】  なお、上記両面テープ６１，６２は、この実施の形態１では蓋部１に設けたが、袋部２に設けても良い。その場合、両面テープ貼付部７１，７２は、蓋部１に設ける（図示省略）。また、両面テープ６１，６２の代わりに、接着剤を盖部１または袋部２に前記両面テープ６１，６２と略同じ形状に塗布するものとし、この塗布した短冊形状の接着部位の上に剥離紙を貼っておくようにしてもよい。そして、上記同様、使用する際に当該離紙を剥がして蓋部１と袋部２とを接着する。【００２５】（実施の形態２）
図８は、この考案の実施の形態２にかかる再利用封筒を示す平面展開図である。図９は、図８のＤ−Ｄ断面図である。この再利用封筒２００は、実施の形態１に記載した再利用封筒１００を複数回（３回）使用可能にしたものである。具体的には、蓋部１の折り罫線４の横（両面テープ６２の袋部２側横）に平行して別のミシン目３３，３４を設けると共に折り罫線４，４１を２箇所に設け且つこの折り罫線４と折り罫線４１との間に両面テープ６３を設けた構成である。ミシン目３３とミシン目３４との間には、当該部分１ｄを切り取りやすいように、紐状または帯状の補強部材を貼り付けておいてもよい。更に袋部２の下面には、再送付用送り状５３が設けられている。袋部２の上面の右端近傍には、両面テープ貼付部７３を設ける。その他の構成は実施の形態１と同じであるので説明を省略する。【００２６】  この再利用封筒２００の使用方法は、実施の形態１と略同じであるが、次の点で異なる。即ち、この再利用封筒２００を受領者が返送した後、元差出人は、封筒を開けるためミシン目３３とミシン目３４との間の部分１ｄを切り取る。この部分１ｄは、ミシン目３３，３４を設けることで元差出人が手で容易に取り去ることが出来るようになっているので、カッターなどの裁断道具を用いることなく簡単に開封できる。この状態で、蓋部１には、末使用の１つの両面テープ６３が残された状態になる。【００２７】  元差出人は、再びこの袋部２に内容物を入れる。ここで、両面テープ６３の剥離紙には、「再送付用」等の記載がされており、元差出人はこの記載を確認したうえで剥離紙を剥がす。そして、折り罫線４１で蓋部１を折り曲げ、両面テープ６３を両面テープ貼付部７３に貼り付け、封をする。そして、返送用送り状５２の記載内容を消すか或いは取消線を引いて当該返送用送り状５２を無効とし、裏面の再返送用送り状５３に必要事項を記入し、必要により切手を貼り付けて投函する。この再利用封筒２００によれば、３回まで封筒を再利用できるので経済的である。【００２８】（実施の形態３）
図１０は、この考案の実施の形態３にかかる再利用封筒を示す平面展開図である。この再利用封筒３００は、実施の形態１に記載した再利用封筒１００を複数回（３回）使用可能にしたものである。この百利用封筒３００は、方形の袋部２と、当該袋部２の一面側から開口側に延出した蓋部１とを備える。蓋部１の付け根、即ち袋部２と蓋部１との境には、折り曲げが容易になるように折り罫線４が設けられている。【００２９】  蓋部１の内側（蓋部１を閉じたときに袋部２の上向に対向する面）であって方形の長手方向かつ両側に短冊形状の両面テープ６１，６２，６３が３本設けられている。この両面テープ６１，６２，６３は、両利用封筒３００を展開した状態では、接着面に短冊形状の剥離紙が張られている（図示省略）。両面テープ６１，６２，６３を用いて接着する場合には、この剥離紙を剥がすことで、当該両面テープ６１，６２，６３の接着面が現れる。この剥離紙上には、「送付用」、「返送用」、「再送付用」の文字を記入しておき、ユーザが貼り付ける位置を間違えないようにするのが好ましい。【００３０】  蓋部１の外面（蓋部１を閉じたときに表となる面）には、送り状５１が設けられている。この送り状５１には、あて先の郵便番号、住所及び氏名等、差出人の住所及び氏名等の必要な情報が記載される。なお、送り状５１は、あらかじめ蓋部１の外面に印刷しておいても良いし、別にシール状の用紙に印刷して貼り付けても良い。【００３１】  一方、袋部２の上面（蓋部１を閉じたときに当該蓋部１に覆われる面）であって方形の長手方向かつ両側に短冊形状の３本の両面テープ貼付部７１，７２，７３が設けられている。具体的には、この両面テープ貼付部７１，７２，７３には、蓋部１を閉じるときに前記両面テープ６１，６２，６３を接着すべき部位を指定する機能があり、袋部２の上面に点線や実線等で示されている。なお、この両面テープ貼付部７１，７２，７３には、「送付用」、「返送用」、「再送付用」の文字を記入しておき、ユーザが貼り付ける位置を間違えないようにするのが好ましい。【００３２】  また、袋部２の上面には、返送用送り状５２および再送付用送り状５３が２つ設けられている。返送用送り状５２は、両面テープ貼付部７１と両面テープ貼付部７２との間に設けられる。再送付用送り状５３は、両面テープ貼付部７２と両面テープ貼付部７３との間に設けられる。この返送用送り状５２および再送付用送り状５３には、あて先の郵便番号、住所及び氏名等、差出人の住所及び氏名等の必要な情報が記載される。なお、この返送用送り状５２および再送付用送り状５３は、あらかじめ袋部の上面に印刷しておいても良いし、別にシール状の用紙に印刷して貼り付けても良い。【００３３】  蓋部１の長手方向かつ送り状５１の両側、換言すれば両面テープ６１と両面テープ６２との間であって各両面テープ６１，６２近傍に沿って略平行に２本の開封用のミシン目３１，３２が設けられている。このミシン目３１とミシン目３２とで区画された部分を第１開封部１ｃとする。また、蓋部１の長手方向かつ送り状の両側、換言すれば両面テープ６２と両面テープ６３との間であって各両面テープ６２，６３近傍に沿って略平行に２本の開封用のミシン目３５，��６が設けられ、このミシン目３５とミシン目３６とで区画された部分を第２開封部１ｅとする。これらのミシン目３１〜３６は、カッターなどの裁断道具を使うことなく開封できるように、蓋部の端から端まで設けられる。【００３４】  次に、この再利用封筒３００の使用方法について説明する。差出人は、袋部２の中に内容物を入れる。そして、蓋部１の最も外側（蓋部１の袋部２とは反対側）に設けた両面テープ６１の剥離紙を剥がす。この剥離紙には、「送付用」と記載されているので、差出人は間違えることなく、当該剥離紙を剥がすことができる。次に、両面テープ６１の接着面が露出した状態で、蓋部１を折り罫線４に従って折り曲げ、蓋部１を袋部２の上面を覆うように被せると共に、前記両面テープ６１を袋部２の最も外側（袋部２の蓋部１とは反対側）に設けた両面テープ貼付部７１に合わせて、接着させる。これにより、内容物が当該再利用封筒内に封をされ且つ蓋部１の外面に設けた送り状５１が表に位置する。そして、差出人は、送り状５１に必要事項を記入すると共に必要に応じて切手を貼り付ける。【００３５】  次に、この再利用封筒３００を受け取った者（受取人）は、ミシン目３１，３２に沿って第１開封部１ｃを引っ張り、当該ミシン目３１，３２に沿って第１開封部１ｃを取り去り、内容物を取り出す。この第１開封部１ｃは、ミシン目３１，３２により手で容易に取り去ることができるようになっているので、カッターなどの裁断道具を用いることなく開封できる。第１開封部１ｃを取り去ることて蓋部１を開けることができる。また、これにより下にある返信用送り状５２が現れる。なお、蓋部１の縁１ａは、両面テープ６１により袋部２の上面に張り付いたままである。【００３６】  次に、受取人は、返信する内容物を当該再利用封筒３００の袋部２に入れ、蓋部１の中央の両面テープ６２の剥離紙を剥がす。この剥離紙には、「返信用」と記載されているので、受取人は間違えることなく、当該剥離紙を剥がすことができる。次に、両面テープ６２の接着面が露出した状態で、蓋部１を折り罫線４に従って折り曲げ、蓋部１を袋部２の上面の縁近傍を覆うように被せると共に、前記両面テープ６１を袋部２の中央に設けた両面テープ貼付部７２に合わせて、接着させる。これにより、内容物が封をされる。また、返信状態では蓋部１は袋部２の上面を全て覆うわけではなく、略半分を覆うだけであるので、袋部２上面の返信用送り状５２が外部から見える状態となる。そして、受取人は、返信用送り状５２に必要事項を記入すると共に必要に応じて切手を貼り付ける。【００３７】  返信を受け取った元差出人（或いは、別の返送先が指定されている場合は第二受取人）は、ミシン目３５，３６に沿って第２開封部１ｅを引っ張り、当該ミシン目３５，３６に沿って第２開封部１ｅを取り去り、内容物を取り出す。この第２開封部１ｅは、ミシン目３５，３６により手で容易に取り去ることができるようになっているので、カッターなどの裁断道具を用いることなく開封できる。第２開封部１ｅを取り去ることで蓋部１を開けることができる。また、これにより下にある再送付用送り状５３が現れる。なお、蓋部１の縁１ｆは、両面テープ６２により袋部１の上面に張り付いたままである。【００３８】  次に、元差出人は、再送付する内容物を当該再利用封筒３００の袋部２に入れ、蓋部１の内側（蓋部１の袋部側）の両面テープ６３の剥離紙を剥がす。この剥離紙には、「再送付用」と記載されているのて、元差出人は間違えることなく、当該剥離紙を剥がすことができる。次に、両面テープ６３の接着面が露出した状態で、蓋部１を折り罫線４に従って折り曲げ、蓋部１を袋部２の上面の縁近傍を覆うように被せると共に、前記両面テープ６３を袋部２の内側（袋部２の蓋部側）に設けた両面テープ貼付部７３に合わせて、接着させる。これにより、内容物が封をされる。また、返信状態では蓋部１は袋部２の上面を全て覆うわけではなく、縁近傍を覆うだけであるので、袋部上面の再返信用送り状５３を見ることができる。そして、元差出人は、返信用送り状５３に必要事項を記入すると共に必要に応じて切手を貼り付ける。また、既に用いている返送用送り状５２の記載内容を消すか或いは取消線を引いて当該返送用送り状５２を無効としておく。【００３９】  そして、元受取人（或いは、別の送付先が指定されている場合は第二受取人）は、再送付されてきたこの再利用封筒３００の折り罫線４あたりを切るか、又は、両面テープ６３の接着を強引に剥がして、内容物を取り出す。以上のように、この再利用封筒３００によれば、３回続けて再利用することができる。【００４０】（実施の形態４）
図１１は、この考案の実施の形態４にかかる再利用封筒を示す平面展開図である。図１２は、図１１のＥ−Ｅ断面図である。この再利用封筒４００は、実施の形態１に記載の再利用封筒１００に対してスペア蓋部５００を備えたものである。この再利用封筒４００の構成は、実施の形態１と同じであるが、折り罫線４の両側に蓋部１を取り外すミシン目３７，３８を設けた点が異なる。その他は実施の形態１と同様であるので説明を省略する。【００４１】  スペア蓋部５００は、折り罫線部４と、この折り罫線部４から延出した蓋部５０１とからなる。蓋部５０１は、その内面（蓋部５０１を閉じたときに袋部２の上面に対向する面）であって方形の長手方向かつ両側に短冊形状の両面テープ６１，６２が設けられている。この両面テープ６１，６２は、百利用封筒４００を展開した状態では、接着面に短冊形状の剥離紙が張られている。両面テープ６１，６２を用いて接着する場合には、この剥離紙を剥がすことで、当該両面テープ６１，６２の接着面が現れる。この剥離紙上には、「送付用」、「返送用」の文字を記入しておき、ユーザが貼り付ける位置を間違えないようにするのが好ましい。【００４２】  蓋部５０１の外面（蓋部５０１を閉じたときに表面となる面で、図中では両面テープ６１，６２を設けた面の反対面）には、送り状５１が設けられている。この送り状５１には、あて先の郵便番号、住所及び氏名等、差出人の住所及び氏名等の必要な情報が記載される。なお、この送り状５１は、あらかじめ蓋部５０１の外面に印刷しておいても良いし、別にシール状の用紙に印刷して貼り付けても良い。【００４３】  また、折り罫線部４では、折り罫線４の両側にミシン目３７，３８が設けられている。また、蓋部５０１を設けた側の反対側の端部近傍には、短冊形状をした取り付け用の両面テープ６４が設けられている。この両面テープ６４は、袋部２に対して当該スペア蓋部５００を取り付けるためのものである。一方、袋部２のミシン目３７と両面テープ貼付部７２との間（蓋部１を取った状態における袋部２の端縁）には、この取り付け用の両面テープ６４を貼り付けるための、両面テープ貼付部７４が設けられている。具体的には、この両面テープ貼付部７４は、スペア蓋部５００を取り付けるときに前記両面テープ６４を接着すべき部位を指定する機能があり、袋部２の裏面に点線や実線等で示されている。なお、この両面テープ貼付部７４には、「スペア蓋部の取り付け位置」等の文字を記入しておき、ユーザが貼り付ける位置を間違えないようにするのが好ましい。【００４４】  次に、この再利用封筒４００の使用方法について説明する。差出人は、袋部２の中に内容物を入れると共に、スペア蓋部５００を入れる。そして、蓋部１の外側（蓋部１の袋部２とは反対側）に設けた両面テープ６１の剥離紙を剥がす。この剥離紙には、「送付用」と記載されているので、差出人は間違えることなく、当該剥離紙を剥がすことができる。次に、両面テープ６１の接着面が露出した状態で、蓋部１を折り罫線４に従って折り曲げ、蓋部１を袋部２の上面を覆うように被せると共に、前記両面テープ６１を袋部２の外側（袋部２の蓋部１とは反対側）に設けた両面テープ貼付部７１に合わせて、接着させる���これにより、内容物が封をされ且つ蓋部１の裏面に設けた送り状５１が上面に位置される。この送り状５１に必要事項を記入すると共に必要な額の切手を貼り付けて投函する。【００４５】  次に、この再利用封筒４００を受け取った者（受取人）は、ミシン目３１，３２に沿って開封部１ｃを引っ張り、当該ミシン目３１，３２に沿って開封部１ｃを取り去る。この開封部１ｃは、ミシン目３１，３２により手で容易に取り去ることができるようにできているので、カッターなどの裁断道具を用いることなく開封できる。開封部１ｃを取り去ることで蓋部１を開けることができる。また、その下から返信用送り状５２が現れる。なお、蓋部１の短縁は、両面テープ６１により袋部２の上面に張り付いたままである。また、受取人は、袋部２に入っているスペア蓋部５００を取り出す。なお、このスペア蓋部５００には、「再利用のための蓋ですので同封してまま返送ください」等の注意書きを印刷するか、或いは、スペア蓋部５００の使用方法を文章または図面で開封部１ｃやスペア蓋部５００自体に印刷しておく。受取人は、この指示に従ってスペア封筒５００を取り扱う。【００４６】  次に、受取人は、返信する内容物を当該再利用封筒４００の袋部２に入れ、蓋部１の内側（蓋部１の袋部側）の両面テープ６２の剥離紙を剥がす。このとき、差出人が同封したスペア蓋部５００は袋部２に入れたままとしておく。この剥離紙には、「返信用」と記載されているので、受取人は間違えることなく、当該剥離紙を剥がすことができる。次に、両面テープ６２の接着面が露出した状態で、蓋部１を折り罫線４に従って折り曲げ、蓋部１を袋部２の上面の縁近傍を覆うように被せると共に、前記両面テープ６２を袋部２の内側（袋部２の蓋部側）に設けた両面テープ貼付部７２に合わせて、接着させる。これにより、内容物が封をされる。また、返信状態では蓋部１は袋部２の上面を全て覆うわけではなく、縁近傍を覆うだけであるので、袋部上面の返信用送り状５２を見ることができる。そして、受取人は、返信用送り状５２に必要事項を記入するとともに、必要に応じて切手を貼り付けて返送する。【００４７】  元差出人（或いは、別の返送先が指定されている場合は第二受取人）は、返送されてきたこの再利用封筒４００の折り罫線４をミシン目３７，３８に沿って引っ張り、当該ミシン目３７，３８に沿って折り罫線４の部位（第２開封部）を取り去る。この第２開封部（４）は、ミシン目３７，３８により手で容易に取り去ることができるようになっているので、カッターなどの裁断道具を用いることなく開封できる。この状態で、再利用封筒４００は、袋部２のみの状態となる。【００４８】  次に、元差出人は、袋部２に入れられているスペア蓋部５００を取り出し、スペア蓋部５００の取り付け用の両面テープ６４の剥離紙を剥す。次に、この両面テープ６４を袋部２の下面の端縁に設けた両面テープ貼付部７４に貼り付ける。これにより、袋部２に蓋部５０１が付いて、新品の再利用封筒４００と略同じ状態となる。そして、元差出人は、新しいスペア蓋部５００を袋部２に入れると共に、袋部２の中に送付物を入れ、送り状５１に必要事項を記入して投函する。これ以降の使用方法は、上記と同じであるので��明を省略する。【００４９】  以上から、この再利用封筒４００は、実施の形態１と同じ効果を奏すると共に、スペア蓋部５００を用いることで、何度でも用いることができる。なお、スペア蓋部５００の取り付けには両面テープ６４を用いるのではなく、糊付けでスペア蓋部５００を袋部２の裏面端縁に取り付けるようにしても良い。【００５０】  また、取り付け用の両面テープ６４は、蓋部５０１とは分離状態で袋部２に収納されており、当該蓋部５０１を取り付ける際に取り出して用いるようにしてもよい。また、スペア蓋部５００は、再利用封筒４００に対して複数枚がセットになって販売されるが、その枚数に限定はない。また、スペア蓋部５００は、別売りでもよい。【００５１】  また、この再利用封筒４００は、もともと蓋部１がない状態で、複数のスペア蓋部５０１を備えたものであってもよい（図示省略）。即ち、最初の使用時に、スペア蓋部５０１を袋部２に取り付けてから用いるものであり、袋部２は、ミシン目３７の部分から蓋部１が切り離された状態である。スペア蓋部５０１は、ひとつの袋部２に対して複数枚がセットになっている。ユーザは、往復のたびにスペア封筒５０１を袋部２に貼り付けて封筒を再利用する。
【図面の簡単な説明】
【００５２】
【図１】  この考案の実施の形態１にかかる再利用封筒を示す平面展開図である。
【図２】  図１のＡ−Ａ断面図である。
【図３】  図１に示した再利用封筒の背面を示す平面展開図である。
【図４】  図１に示した再利用封筒の蓋部を閉じたときの状態を示す平面図である。
【図５】  図４のＢ−Ｂ断面図である。
【図６】  開封部を取り去った状態を示す平面図である。
【図７】  図６のＣ−Ｃ断面図である。
【図８】  この考案の実施の形態２にかかる再利用封筒を示す平面展開図である。
【図９】  図８のＤ−Ｄ断面図である。
【図１０】  この考案の実施の形態３にかかる再利用封筒を示す平面展開図である。
【図１１】  この考案の実施の形態４にかかる再利用封筒を示す平面展開図である。
【図１２】  図１１のＥ−Ｅ断面図である。
【符号の説明】
【００５３】１００  再利用封筒
１  蓋部
２  袋部
３１，３２  ミシン目
４  折り罫線
５１  送り状
５２  返送用送り状
６１，６２  両面テープ
７１，７２  両面テープ貼付部
【図１】
0003132482.tif 000003
【図２】
0003132482.tif 000004
【図３】
0003132482.tif 000005
【図４】
0003132482.tif 000006
【図５】
0003132482.tif 000007
【図６】
0003132482.tif 000008
【図７】
0003132482.tif 000009
【図８】
0003132482.tif 000010
【図９】
0003132482.tif 000011
【図１０】
0003132482.tif 000012
【図１１】
0003132482.tif 000013
【図１２】
0003132482.tif 000014